(57)【要約】【課題】緊急時の避難の邪魔にならず、建物の外観を損ねることもない、ベランダ空間の一部を収納スペースとして有効利用できる集合住宅のベランダ用収納庫を提供する。【解決手段】開口枠２の側端に位置する戸本体３の縦戸枠１１ａを広幅に形成して、その外面に戸本体３と同じ上下長さの縦長の収納庫２０を形成する。収納庫２０は左右一対の側壁２１と、側壁２１の上下を塞ぐ屋根壁２２および底壁２３と、前面の出入口２４を開閉するドア２５などで構成する。戸本体３と一体に収納庫２０を設けてベランダ空間の一部を収納スペースとして有効利用するので、緊急時に収納庫２０が避難の邪魔になることはなく、建物の外観を損ねることもない。両側端の縦戸枠１１ａの外面に収納庫２０を設けるので、開口枠２の両側内面に束ねたカーテンで縦戸枠１１ａの内面を覆って隠すことができる。従って、室内からの視野が収納庫２０によって遮られることがなく、しかも収納庫２０が採光や換気の邪魔になることもない。【選択図】        図１
2004270263.tif 000002
【特許請求の範囲】
【請求項１】
緊急時の避難経路を兼ねるベランダに臨んで引戸１が設けられており、
引戸１は、左右一対の縦開口枠５と上下のガイド枠６・７とで構成される開口枠２と、開口枠２で開閉自在に案内支持される戸本体３とで構成されており、
戸本体３は、左右一対の縦戸枠１１と、上下一対の横戸枠１２と、縦横の両戸枠１１・１２に固定される透明板１３とで構成されており、
開口枠２の側端に位置する戸本体３の縦戸枠１１ａを広幅に形成して、その外面に縦長の収納庫２０が形成されており、
収納庫２０が、戸本体３の縦戸枠１１ａの外面に固定される周側壁２１と、周側壁２１の上下を塞ぐ屋根壁２２、および底壁２３と、収納庫２０の出入口２４を開閉するドア２５を含んで構成してある集合住宅のベランダ用収納庫。
【請求項２】
収納庫２０が、戸本体３の縦戸枠１１ａの外面両側に固定される左右一対の側壁２１と、屋根壁２２および底壁２３と、収納庫２０の前面の出入口２４を開閉するドア２５を含んで構成してある請求項１記載の集合住宅のベランダ用収納庫。
【請求項３】
緊急時の避難経路を兼ねるベランダに臨んで引戸１が設けられており、
引戸１は、左右一対の縦開口枠５と上下のガイド枠６・７とで構成される開口枠２と、開口枠２で開閉自在に案内支持される戸本体３とで構成されており、
開口枠２の側端に位置する縦開口枠５を広幅に形成して、その外面に縦長の収納庫２０が形成されており、
収納庫２０が、縦開口枠５の外面両側に固定される左右一対の側壁２１と、両側壁２１の上下を塞ぐ屋根壁２２、および底壁２３と、収納庫２０の前面の出入口２４を開閉するドア２５を含んで構成してある集合住宅のベランダ用収納庫。
【発明の詳細な説明】
【０００１】
【発明の属する技術分野】
本発明は、集合住宅のベランダ空間を利用して設置される収納庫に関する。
【０００２】
【従来の技術】
集合住宅のベランダは共有部分であり、火災などの緊急時の避難路を兼ねている。さらに、集合住宅の家主との契約や、管理組合の規約などによって、美観を損ねる物の設置が制限されており、物置などの収納庫を設置できないことになっている。しかし、緊急時の避難に支障がなく、規約などに違反しない範囲で、ベランダ空間の一部を収納スペースとして有効利用することが検討されている。例えば、集合住宅のベランダに設置して使用する収納庫が提案されている（特許文献１参照）。そこでは、角箱状の収納庫本体と、その下部４隅に設けた脚柱とで収納庫を構成しており、脚柱が空調用の室外機を跨ぐ状態で収納庫を設置することにより、室外機の上方空間を収納スペースとして利用している。
【０００３】
別の提案では、隣家との隔壁部分を利用して、その両側に収納庫を配置している（特許文献２参照）。そこでは隔壁の下部を避難のためのスペースとして確保し、残る隔壁の面壁の外面に収納庫を形成している。収納庫は、避難スペースの上方に形成される第１室と、ベランダ側壁に沿ってベランダ床面から天井にわたって形成される第２室とを備えている。第２室には、室内で収納するには嵩張る、スキー板、釣竿、およびゴルフバッグなどの物品を収納することができる。
【０００４】
【特許文献１】
特開平２００２−３５５１３３号公報（段落番号００２５、図１）
【特許文献２】
特開平１０−１８４１４号公報（段落番号００３５、図２）
【０００５】
【発明が解決しようとする課題】
特許文献１の収納庫によれば、既に設置されている空調用の室外機の上方空間を収納スペースとして利用できるうえ、収納庫が緊急時の避難の邪魔になることもない。しかし、ベランダに設置される空調用の室外機や洗濯機などの上方空間を収納スペースとして利用するので、収納対象が小さな物品に制約される。収納庫を大型化すると、より大きな物品でも収納できるが、設置位置を自由に変更できることもあって、建物の外観を損ないやすい不利がある。収納庫がベランダに臨む引戸の外に設置してある場合には、室内からの視野が収納庫によって遮られるうえ、採光や換気の邪魔になる不利もある。
【０００６】
特許文献２の収納庫によれば、ベランダ空間を利用して収納を行え、スキー板やゴルフバッグなどの長尺物や嵩高い物品を体裁良く収納保管できる。しかし、緊急時の唯一の避難経路である隣のベランダとの隔壁に収納庫を設けるので、収納庫自体が避難の邪魔になるのを避けられず、充分な安全性を確保するうえで問題がある。第１室の下部空間を避難スペースとしているが、そこに物が置いてあると避難に手間取ることが予想され、とくに非健常者の避難が極めて困難になるおそれがある。地震発生時に、半壊した収納庫によって避難スペースが塞がれてしまう可能性もある。
【０００７】
本発明の目的は、緊急時の避難に支障がないのはもちろん、建物の外観を損ねることもなく、ベランダ空間の一部を収納スペースとして有効利用できる集合住宅のベランダ用収納庫を提供することにある。本発明の目的は、スキー板、釣竿、ゴルフバッグなどの長尺物や嵩高い物品を収納するのに好適な集合住宅のベランダ用収納庫を提供することにある。本発明の目的は、収納庫がベランダに臨む引戸に付設してあるにもかかわらず、室内からの視野が収納庫によって遮られることがなく、しかも収納庫が採光や換気の邪魔になることもない集合住宅のベランダ用収納庫を提供することにある。
【０００８】
【課題を解決するための手段】
本発明のベランダ用収納庫は、緊急時の避難経路を兼ねるベランダに臨んで引戸１が設けてある集合住宅を適用対象とする。引戸１は、左右一対の縦開口枠５と上下のガイド枠６・７とで構成される開口枠２と、開口枠２で開閉自在に案内支持される戸本体３とで構成する。戸本体３は、左右一対の縦戸枠１１と、上下一対の横戸枠１２と、縦横の両戸枠１１・１２に固定される透明板１３とで構成する。開口枠２の側端に位置する戸本体３の縦戸枠１１ａを広幅に形成して、その外面に縦長の収納庫２０を形成する。収納庫２０は、戸本体３の縦戸枠１１ａの外面に固定される周側壁２１と、周側壁２１の上下を塞ぐ屋根壁２２、および底壁２３と、収納庫２０の出入口２４を開閉するドア２５を含んで構成する。
【０００９】
上記の収納庫２０は、戸本体３の縦戸枠１１ａの外面両側に固定される左右一対の側壁２１と、屋根壁２２および底壁２３と、収納庫２０の前面の出入口２４を開閉するドア２５を含んで構成することができる。
【００１０】
本発明の別のベランダ用収納庫は、緊急時の避難経路を兼ねるベランダに臨んで引戸１が設けてある集合住宅を適用対象とする。引戸１は、左右一対の縦開口枠５と上下のガイド枠６・７とで構成される開口枠２と、開口枠２で開閉自在に案内支持される戸本体３とで構成する。開口枠２の側端に位置する縦開口枠５を広幅に形成して、その外面に縦長の収納庫２０を形成する。収納庫２０は、縦開口枠５の外面両側に固定される左右一対の側壁２１と、両側壁２１の上下を塞ぐ屋根壁２２、および底壁２３と、収納庫２０の前面の出入口２４を開閉するドア２５を含んで構成する。
【００１１】
【発明の作用効果】
本発明では、開口枠２の側端に位置する戸本体３の縦戸枠１１ａを広幅に形成して、その外面に縦長の収納庫２０を形成するので、緊急時に収納庫２０が避難の邪魔になるのを解消できるのはもちろん、収納庫２０が建物の外観を損ねることもなく、ベランダ空間の一部を収納スペースとして有効利用できる。収納庫２０を戸本体３とほぼ同じ上下寸法の縦長箱状に形成するので、スキー板や釣竿等の長尺物を問題なく収納保管できるうえ、ゴルフバッグなどの嵩高い物品であっても収納できる。
【００１２】
全ての戸本体３を閉じた状態において、両側端に位置する縦戸枠１１ａの外面に収納庫２０を設けるので、引戸１の室内側に設けたカーテンを開放し、開口枠２の両側に束ねた状態では、縦戸枠１１ａの内面側を束ねられたカーテンで覆って、広幅の縦戸枠１１ａを隠すことができる。従って、室内からの視野が収納庫２０によって遮られることがなく、しかも収納庫２０が採光や換気の邪魔になることも解消できる。戸本体３の開閉に同行して収納庫２０を移動できるので、収納庫２０によって開口面が塞がれるのを解消でき、圧迫感を感じさせないベランダ用収納庫が得られる。
【００１３】
縦戸枠１１ａに固定される左右一対の側壁２１と、屋根壁２２および底壁２３と、収納庫２０の前面の出入口２４を開閉するドア２５を含んで構成した収納庫２０によれば、出入口２４がベランダの開放空間に向かって開口するので、戸本体３と正対する姿勢で収納対象を収納庫２０に出し入れでき、例えば収納庫２０の側面側に出入口２４が開口してある場合に比べて、壁面や戸本体３に邪魔されることなく収納対象を容易に出し入れできる利点がある。
【００１４】
開口枠２の側端に位置する縦開口枠５を広幅に形成して、その外面に固定される左右一対の側壁２１と、両側壁２１の上下を塞ぐ屋根壁２２、および底壁２３と、収納庫２０の前面の出入口２４を開閉するドア２５を含んで構成した、本発明の別の収納庫２０によれば、開口枠２の外側方に収納庫２０を配置できるので、先に説明した収納庫２０に比べて室内からの視野をさらに拡大できる利点がある。収納庫２０が壁面に固定されるので、ドア２５を開閉し、あるいは収納対象を出し入れするような場合に収納庫２０がぐらつくのを防止でき、収納対象の出し入れを安定した状態で簡便に行える。
【００１５】
【実施例】
図１ないし図４は、本発明に係るベランダ用収納庫の実施例を示す。図１において符号１はベランダに臨んで設けられた引戸である。ベランダは緊急時の避難経路を兼ねていて、隣家のベランダとは、境界位置に配置した隔壁（図示していない）を介して区分してある。隔壁を破壊することにより、隔壁の一方のベランダから他方のベランダへと避難できる。
【００１６】
引戸１は、ベランダに臨む壁面に固定される開口枠２と、開口枠２で引き違い開閉自在に案内支持される４個の戸本体３とで構成する。開口枠２は、それぞれアルミニウム条材で形成される左右一対の縦開口枠５・５と上下のガイド枠６・７とで構成する。図４に示すように上下のガイド枠６・７には、それぞれ戸本体３を移行案内するガイドレール８・９が一体に形成してある。
【００１７】
戸本体３は、左右一対の縦戸枠１１・１１と、上下一対の横戸枠１２・１２と、縦横の両戸枠１１・１２に固定される透明な板ガラス（透明板）１３とで構成する。図４に示すように縦戸枠１１の上端には、上側のガイドレール８で案内支持される切欠１４が形成され、下側の横戸枠１２には戸車１５が装着してある。
符号１６は戸本体３を開閉操作するための杷手である。板ガラス１３に換えて、アクリル板やポリプロピレン板などのプラスチック製の透明板を適用できる。
【００１８】
４個の戸本体３のうち、開口枠２の両側端に位置する戸本体３を利用して収納庫２０を形成している。詳しくは、全ての戸本体３を閉じた状態において、図２に示すように、縦開口枠５で受け止められる左右両端の縦戸枠１１ａを広幅に形成して、その外面に縦長の収納庫２０を形成している。他の縦戸枠１１の左右幅が５ｃｍ前後であるのに対して、縦開口枠５で受け止められる左右両端の縦戸枠１１ａの左右幅は１５〜２５ｃｍと広幅に形成する。つまり、先の縦戸枠１１の左右幅を１とするとき、左右両端の縦戸枠１１ａの左右幅は３〜５倍前後に設定してある。この実施例では縦戸枠１１ａの左右幅を２０ｃｍとした。
【００１９】
図２に示すように収納庫２０は、広幅の縦戸枠１１ａの外面両側に固定される左右一対の側壁（周側壁）２１と、両側壁２１の上下を塞ぐ屋根壁２２および底壁２３と、収納庫２０の前面の出入口２４を開閉するドア２５などで構成する。
【００２０】
左右の側壁２１は同じ断面形状の中空のアルミニウム条材からなり、縦戸枠１１ａへの接合面の側に締結壁２６を有し、内面にドア２５を受け止めるリブ２７が突設してある。側壁２１は戸本体３より僅かに短い寸法に切断して形成してあり、締結壁２６の上下複数箇所をビス２８で締結することにより縦戸枠１１ａと一体化される。側壁２１の前後長さは２０〜２５ｃｍである。
【００２１】
図３および図４に示すように、屋根壁２２および底壁２３は、それぞれ中空のアルミニウム条材からなり、先の側壁２１と同様に一体に形成した締結壁３０・３１をビス３２・３３で縦戸枠１１ａに締結し、さらに両側壁２１に対してビス３４・３５で締結固定される。図２に示すように、屋根壁２２の両側端はキャップ３６で塞いである。屋根壁２２の上面は収納庫２０の前面開口の側へ向かって下り傾斜させてある。底壁２３の前後長さは、側壁２１の前後長さに比べてドア２５の厚み分だけ短く設定してあり、従ってドア２５を閉じた状態においては、図４に示すように底壁２３の前端面がドア２５で覆われる。
【００２２】
ドア２５は塗装鋼板製の中空パネル３９と、その上下開口を塞ぐキャップ４０と、中空パネル３９の前面一側に設けられる杷手４１などで構成する。図２に示すように、ドア２５は側壁２１と中空パネル３９との間に固定した、上下一対のヒンジ４２を介して揺動開閉自在に支持してある。中空パネル３９の内面の揺動先端側にはラッチ４３が設けてあり（図３参照）、このラッチ４３が側壁２１の内面に設けたリブ２７と係合することにより、ドア２５を閉じ状態に維持できる。
【００２３】
以上のように、戸本体３を利用して収納庫２０を構成すると、収納庫２０の出っ張り寸法が最大でも２５ｃｍ程度であるので、緊急時の避難に支障を来たすことがないのはもちろん、建物の外観を損ねることもない。また、全ての戸本体３を閉じた状態において、両側端に位置する縦戸枠１１ａの外面に収納庫２０を設けるので、引戸１の室内側に設けたカーテンを開放し、開口枠２の両側に束ねた状態では、縦戸枠１１ａの内面側が束ねられたカーテンで覆われるので、室内からの視野が収納庫２０によって遮られることがなく、しかも収納庫２０が採光や換気の邪魔になることも解消できる。収納庫２０には、例えばスキー板、釣竿等の長尺物を収納でき、あるいはゴルフバッグなどの嵩高い物品を収納することができる。収納庫２０は戸本体３とともに開閉移動するので、両側端の戸本体３を開口中央側へ開放する場合に開口枠２の側端を完全に開放できるうえ、収納庫２０の下方床面の清掃を容易に行える。
【００２４】
図５は、開口枠２の縦開口枠５を利用して収納庫２０を構成した別実施例を示す。そこでは、縦開口枠５と一体に広幅のベース４５を形成し、その外面に側壁２１と、屋根壁２２（図示されていない）および底壁２３を締結して収納庫２０を形成した。ベース４５は中空枠状に形成してあり、その殆どが壁面に埋設してある。他は先の実施例と同じであるので、同じ部材に同じ符号を付してその説明を省略する。
【００２５】
上記のように、開口枠２の縦開口枠５を利用して収納庫２０を構成すると、開口枠２の外側方に収納庫２０を配置できるので、先の実施例の収納庫２０に比べて室内からの視野をさらに拡大できる。収納庫２０が壁面に固定されるので、ドア２５を開閉し、あるいは収納対象を出し入れするような場合に、収納庫２０がぐらつくことがない。
【００２６】
上記の実施例以外に、側壁２１、屋根壁２２、底壁２３は、それぞれドア２５と同様に鋼板製のパネルで形成することができ、必要があれば木製やプラスチック製のパネルで形成することができる。収納庫２０の内部を棚板で多段状に区画し、あるいは庫内にハンガーフックを設けて小物を収納できるようにしてもよい。収納庫２０の左右側面のいずれか一方に出入口２４を開口することができる。
出入口２４は複数個のドアで開閉することができる。引戸１を構成する戸本体３の使用個数は複数個であればよく、実施例で説明した個数に限らない。
【図面の簡単な説明】
【図１】ベランダ用収納庫の斜視図である。
【図２】収納庫の分解斜視図である。
【図３】収納庫の横断平面図である。
【図４】収納庫の上下中途部を省略した縦断側面図である。
【図５】収納庫の別実施例を示す横断平面図である。
【符号の説明】
１  引戸
２  開口枠
３  戸本体
５  縦開口枠
６  ガイド枠
７  ガイド枠
１１  縦戸枠
１１ａ  縦戸枠
２０  収納庫
２１  側壁
２２  屋根壁
２３  底壁
２４  出入口
２５  ドア
【図１】
2004270263.tif 000003
【図２】
2004270263.tif 000004
【図３】
2004270263.tif 000005
【図４】
2004270263.tif 000006
【図５】
2004270263.tif 000007